(57)【要約】  本発明は、定置の下側プレス・ビーム（１２）又はプレス・テーブル（７３）と、下側プレス・ビーム（１２）又はプレス・テーブル（７３）に対して調節駆動ユニット（１１）によって調節することができる上側プレス・ビーム（１０）とを含む曲げプレス（１）、特にフォールディング・プレス（２）に関する。下側プレス・ビーム（１２）又はプレス・テーブル（７３）、又は下側プレス・ビーム（１２）を支持する機械テーブル又は機械フレーム（１３）は、曲げプレス（１）の操作者側（３）に、操作者のための足空間（６）を形成する少なくとも１つ空洞（５）を有している。
2010524693.tif 000002
【特許請求の範囲】
【請求項１】
定置の下側プレス・ビーム（１２）又はプレス・テーブル（７３）と、該下側プレス・ビーム（１２）又はプレス・テーブル（７３）に対して移動駆動装置（１１）によって移動することができる上側プレス・ビーム（１０）とを備えた曲げプレス（１）、特にプレス・ブレーキ（２）であって、該下側プレス・ビーム（１２）又はプレス・テーブル（７３）、又は該下側プレス・ビーム（１２）を支持する機械テーブル又は機械フレーム（１３）が、該曲げプレス（１）の制御側（３）に、操作者のための足空間（６）を提供する少なくとも１つ切欠き（５）を有していることを特徴とする、曲げプレス、特にプレス・ブレーキ。
【請求項２】
切欠き（５）の水平方向の内法幅（１９）が少なくとも５００ｍｍ、特に少なくとも７５０ｍｍであることを特徴とする、請求項１に記載の曲げプレス。
【請求項３】
それぞれの水平方向の内法幅（１９）が少なくとも２００ｍｍである互いに離隔した２つの切欠き（５）が設けられており、そして該２つの切欠き（５）の間に、幅（７５）が５０ｍｍ〜２５０ｍｍの支持要素（７４）が配置されていることを特徴とする、請求項１に記載の曲げプレス。
【請求項４】
該切欠き（５）の水平方向奥行き（２０）が、該曲げプレス（１）の前面（４）から測定して、少なくとも２５０ｍｍ、特に４５０ｍｍ、好ましくは６００ｍｍであることを特徴とする、請求項１から３までのいずれか１項に記載の曲げプレス。
【請求項５】
該切欠き（５）が、該プレス・ビーム（１０，１２）によって形成された曲げ平面（５３）の後ろ側で少なくとも２００ｍｍ延びていることを特徴とする、請求項１から４までのいずれか１項に記載の曲げプレス。
【請求項６】
該切欠き（５）の鉛直方向内法高さ（２１）は、中央で、少なくとも６５０ｍｍ、好ましくは７５０ｍｍであることを特徴とする、請求項１から５までのいずれか１項に記載の曲げプレス。
【請求項７】
該切欠き（５）の上側仕切り面（２２）が、湾曲を備えた丸み付き領域（２４）を有していることを特徴とする、請求項１から６までのいずれか１項に記載の曲げプレス。
【請求項８】
該切欠き（５）の上側仕切り面（２２）が、下側プレス・ビーム（１２）の底面（２３）によって形成されていることを特徴とする、請求項１から７までのいずれか１項に記載の曲げプレス。
【請求項９】
該下側プレス・ビーム（１２）は、該機械フレーム（１３）の側方パネル（１６，１７）にその端部（１４，１５）によって固定されていることを特徴とする、請求項１から８までのいずれか１項に記載の曲げプレス。
【請求項１０】
該曲げプレス（１）の設置面（１８）よりも高さが高いフット・レスト（６９）が、該切欠き（５）内に配置されていることを特徴とする、請求項１から９までのいずれか１項に記載の曲げプレス。
【請求項１１】
該フット・レスト（６９）が高さ調節可能であることを特徴とする、請求項１０に記載の曲げプレス。
【請求項１２】
該フット・レスト（６９）の傾斜を調節することができることを特徴とする、請求項１０又は１１に記載の曲げプレス。
【請求項１３】
該曲げプレス（１）の制御装置（３７）に接続され、足によって操作することができる足踏みスイッチ（７１）が、該切欠き（５）内に配置されていることを特徴とする、請求項１から１２までのいずれか１項に記載の曲げプレス。
【請求項１４】
ランプ手段（４０）を含む照明用フォアグラウンド光システム（３８）が、該上側プレス・ビーム（１０）と下側プレス・ビーム（１２）との間の作業空間（３９）内で該曲げ平面（５３）の前側に配置されていることを特徴とする、請求項１から１３までのいずれか１項に記載の曲げプレス。
【請求項１５】
ランプ手段（５７）を含む照明用バックグラウンド光システム（５４）が、該下側プレス・ビーム（１２）の後ろ側の作業空間（５５）内で該曲げ平面（５３）の後ろ側に、特に後ろ側ストップ・システム（５８）に配置されていることを特徴とする、請求項１から１４までのいずれか１項に記載の曲げプレス。
【請求項１６】
該フォアグラウンド光システム（３８）又はバックグラウンド光システム（５４）が、該プレス・ビーム（１０，１２）と少なくともほぼ平行に配置されたランプ・クロスヘッドによって形成されていることを特徴とする、請求項１４又は１５に記載の曲げプレス。
【請求項１７】
該フォアグラウンド光システム（３８）及び／又はバックグラウンド光システム（５４）のランプ手段（４０，５７）が、定置の機械ハウジング（３３）の内部に組み込まれており、そして少なくとも１つの光出口オリフィス（１４）、特に光出口スロット（４２）を有していることを特徴とする、請求項１４から１６までのいずれか１項に記載の曲げプレス。
【請求項１８】
該バックグラウンド光システム（５４）がランプ・マーカーシステム（６３）を含み、該ランプ・マーカーシステム（６３）は、該ランプ手段（５７）によって生じるランプ・マーカー（５６）を、移動機構（６１）を用いて、いくつかのストップ要素（５９）から成る群のうちの１つのストップ要素（５９）に向けることができることを特徴とする、請求項１５から１７までのいずれか１項に記載の曲げプレス。
【請求項１９】
該ランプ・マーカーシステム（６３）の移動機構（６１）が、該後ろ側ストップ・システム（５８）を制御する制御装置（３７）と連通するように接続されており、そして該ランプ・マーカー（５６）は、該制御装置（３７）によって決定されたいずれか使用されるべきストップ要素（５９）上に、該移動機構（６１）によって位置決めすることができることを特徴とする、請求項１８に記載の曲げプレス。
【請求項２０】
該移動機構（６１）がステッピング・モーター（６２）を含むことを特徴とする、請求項１９に記載の曲げプレス。
【請求項２１】
該フォアグラウンド光システム（３８）又はバックグラウンド光システム（５４）のランプ手段（４０，５７）が、グローランプ、ハロゲンランプ、蛍光管、キセノンランプ、発光ダイオード、レーザーランプを含む群から選択されていることを特徴とする、請求項１４から２０までのいずれか１項に記載の曲げプレス。
【請求項２２】
該フォアグラウンド光システム（３８）又はバックグラウンド光システム（５４）の光強度を、ランプ手段制御システムによって変えることができることを特徴とする、請求項１４から２１までのいずれか１項に記載の曲げプレス。
【請求項２３】
該曲げプレスがランプ・マーカーシステム（６４）を有しており、該ランプ・マーカーシステムによって、該プレス・ビーム（１０，１２）によって形成された曲げ平面（５３）内に位置する曲げ線マーカー（６５）を、特に、該下側プレス・ビーム（１２）に固定された曲げ型（９）と、該上側プレス・ビーム（１０）に固定された曲げスタンプ（８）との間に位置決めされたワークピースの上面に向けることができることを特徴とする、請求項１から２２までのいずれか１項に記載の曲げプレス。
【請求項２４】
該下側プレス・ビーム（１２）の前の制御側（３）に、置き面（２７）を有する置き場所（２６）が配置されていることを特徴とする、請求項１から２３までのいずれか１項に記載の曲げプレス（１）。
【請求項２５】
該置き場所（２６）を、移動システム（３０）及び固定装置（３１）によって、該下側プレス・ビーム（１２）に対して種々異なる位置に位置決めすることができることを特徴とする、請求項２４に記載の曲げプレス（１）。
【請求項２６】
該置き場所（２６）は、作業位置（６７）と非作業位置（６８）との間で移動することができ、特に、実質的に水平方向の旋回軸（２８）を中心として旋回できるように、該プレス・テーブル（７３）の下側プレス・ビーム（１２）上に取り付けられていることを特徴とする、請求項２４又は２５に記載の曲げプレス（１）。
【請求項２７】
該置き面（２７）が、ほぼ水平方向の作業位置において、該下側プレス・ビーム（１２）に対して横方向に向けられた少なくとも１５０ｍｍの奥行き（２９）を有していることを特徴とする、請求項２４から２６までのいずれか１項に記載の曲げプレス（１）。
【請求項２８】
該下側プレス・ビーム（１２）の前側に、特に置き場所（２６）上に、エルボーレスト（３２）が配置されていることを特徴とする、請求項１から２７までのいずれか１項に記載の曲げプレス（１）。
【請求項２９】
該置き面（２７）が作業位置（６７）において、該下側プレス・ビーム（１２）の上縁から０ｍｍ〜１５０ｍｍ下側に配置されていることを特徴とする、請求項２４から２８までのいずれか１項に記載の曲げプレス（１）。
【請求項３０】
該上側プレス・ビーム（１０）の前側且つ上方の、定置の機械ハウジング（３３）の制御側（３）に、該曲げプレス（１）の制御装置（３７）と協働する制御パネル（３４）が配置されていることを特徴とする、請求項１から２９までのいずれか１項に記載の曲げプレス（１）。
【請求項３１】
該制御パネル（３４）を、調節装置によって、該機械ハウジング（３３）に対して種々異なる位置に位置決めすることができることを特徴とする、請求項３０に記載の曲げプレス（１）。
【請求項３２】
該制御パネル（３４）を、該調節装置によって、実質的に水平方向の旋回軸を中心として調節することができることを特徴とする、請求項３１に記載の曲げプレス（１）。
【発明の詳細な説明】
【技術分野】
【０００１】
本発明は、請求項１の導入部に概要を記載した形式の曲げプレス、特にプレス・ブレーキに関する。
【背景技術】
【０００２】
最近では、主に自由曲げ、エンボシング又は３点曲げに関与する曲げ法を用いて、曲げ部品を製造するために、数多くの曲げプレス、特にプレス・ブレーキが使用されている。曲げ機の許容できない変形を引き起こすことなしに加えられることが必要となるしばしば極めて強い曲げ力を可能にするために、このような機械は、極めて中実なプレス・ビーム及びプレス・テーブルを有しており、これにより、大型のワークピース及び厚いシートで作業するときでも高い曲げ精度を保証する。これを目的として、下側プレス・ビーム又はプレス・テーブルは通常、できる限り高い曲げ抵抗を有する連続した中実な板として構成されている。下側プレス・ビーム又はプレス・テーブルが、上側プレス・ビームの曲げ変形に相応する変形を許す切欠き又はスロットを有する他の構成もある。これらの構成の全てに共通しているのは、これらの曲げ機又はプレス・ブレーキが、立位から操作されるように設計されていることであり、これに対して下側プレス・ビーム又はプレス・テーブルの構成は、使用者の脚及び足のための十分な空間がないため、座位からの操作をより難しくする。従って、このような機械を座位から操作するときには、上半身を大きく前へ乗り出す姿勢がとられるか、又は、脚を曲げプレスの前面とほぼ平行に大きく側方に向きを変えるので、上半身を横にねじる姿勢がとられる。しかしながら、このような身体の姿勢は、曲げプレス使用者にとって極めて疲れるものであり、このことは、生産効率が低下するおそれのあること、或いは、より頻繁に休憩をとる必要があり、これによりこのような曲げプレスの生産性を低下させることを意味する。
【発明の概要】
【発明が解決しようとする課題】
【０００３】
本発明の目的は、立位からの操作及び座位からの操作の両方の助けとなるように人間工学的に設計され、また、疲労することなしに作業できるようにする、曲げプレス、具体的にプレス・ブレーキを提案することである。
【課題を解決するための手段】
【０００４】
この目的は、請求項１において定義された特徴を組み入れた曲げプレス、特にプレス・ブレーキに基づいて本発明によって達成される。下側プレス・ビーム又はプレス・テーブル、又は下側プレス・ビームを支持する機械テーブル又は機械フレームに切欠きが設けられているので、曲げプレス操作者は、曲げ工具間に延びる曲げプレスの曲げ平面から通常の操作距離に頭、肩及び腕を置く、通常の座位をとることができ、これにより、負担が軽減されるため生産効率が高くなる。操作者の疲労が少なくなるので、作業時の事故のリスクが著しく低くなる。
【０００５】
切欠きの水平方向の内法幅が少なくとも５００ｍｍ、特に少なくとも７５０ｍｍであると、足空間又は脚空間は、操作者の足及び脚の両方を快適に収容するのに十分である。
【０００６】
或いは、それぞれの水平方向の内法幅が少なくとも２００ｍｍである互いに離隔した２つの切欠きが設けられていてもよく、この場合、それぞれの足又はそれぞれ個々の脚のために別個の足空間又は脚空間を設けることができ、又は、切欠きを介して、後ろ側に位置する１つに繋がった足空間にアクセスすることが可能になる。そして２つの切欠きの間に、幅が５０ｍｍ〜２５０ｍｍの支持要素が、２つの切欠き間に配置されていてよく、この支持要素は、切欠き間に、下側プレス・ビーム又はプレス・テーブルのための鉛直方向支持体を提供するように構成されており、これにより、大きい一繋がりの切欠きと比較して剛性を高める。
【０００７】
切欠きの水平方向奥行きは有利には、操作者側に位置する切欠きの前縁から測定して、少なくとも２５０ｍｍ、特に４５０ｍｍ、好ましくは６００ｍｍである。切欠きのこの奥行きは、操作者が曲げプレスの作業平面に十分に近づくように上半身を動かすのを可能にし、そしてより深い奥行きを選ぶと、足の位置を変えることも可能になり、例えば、操作者が少なくとも或る程度まで膝を伸ばすことができ、これにより疲労を防止するさらに良い方法を提供する。操作者が曲げ平面又は作業平面に上半身を接近させる別の方法は、切欠きをプレス・ビームの曲げ平面の後ろ側に少なくとも２００ｍｍだけ突出させることであり、同様に足空間のための十分な奥行きを達成する。
【０００８】
切欠きの鉛直方向内法高さは中央で、有利には少なくとも６５０ｍｍ、好ましくは７５０ｍｍであり、これにより、平均的な脚の長さにとって、高さの点で十分な脚空間が形成されることを保証する。
【０００９】
切欠きの上側仕切り面が、湾曲を備えた丸み付き領域を有していてよく、この場合、中央よりも側縁が短くなるように切欠きの内法高さが減少している。この場合、切欠きは、脚が側方へずらされると低減する所要高さに適合されている。さらに、丸み付き領域の湾曲形態は、切欠きの上側仕切り面がプレス・ビームの底面によって形成されている場合に、加圧力を側方支持点に伝達する助けとなる。
【００１０】
下側プレス・ビームがその端部で、機械ベース又は機械フレームの側方パネルに固定されていると、切欠きは異なる方法で形成することもできる。下側プレス・ビーム上で発生する加圧力を分散させる特に信頼性高い方法は、機械フレームの側方パネルに設けられた協働切欠き内にプレス・ビームの端部を配置することである。
【００１１】
曲げプレス又はプレス・ブレーキの作業高さは通常の座位作業場所の作業高さよりも高いので、曲げプレスの設置面よりも高さが高いフット・レストが、切欠き内に設けられていると有利である。操作者の上半身は、相応に持ち上げられた操作者の椅子によって立位と同じ高さまで持ち上げることができ、そのとき脚は、高くされたフット・レストによって支持される。
【００１２】
この点において、フット・レストは特に高さ調節可能であってよく、そしてその傾斜に関して調節可能であってよく、これにより種々異なる脚の長さに合わせる調節を可能にする。
【００１３】
操作者にとって物事をより簡単にする別の方法は、足によって操作することができ、曲げプレスの制御装置に接続された足踏みスイッチを、切欠き内に提供して、これにより、足踏みスイッチを操作するために足を切欠きから出さなくてもすむようにすることである。足踏みスイッチは、切欠き内部の、特に切欠き内部のフット・レスト上の種々異なる位置に、調節装置及び固定装置によって固定することができると、別の可能な改善が達成される。固定装置によって足踏みスイッチが使用中にその位置から不慮にずれることがないことが保証されるという事実により、種々異なる足位置又は脚位置に対する適合を容易に行うことができる。調節装置と固定装置とは、例えば調節レールの形態で組み合わせることもできる。この調節レール上で、足踏みスイッチは種々異なる位置で係止することができ、そしてばね付勢された要素によって固定を行うことができる。
【００１４】
操作者の時期尚早の疲労を防止する曲げプレスの別の有利な実施態様は、
照明用フォアグラウンド光システムが、上側プレス・ビームと下側プレス・ビームとの間の作業空間内で曲げ平面の前側に配置されている
という事実によって特徴付けられる。このことは、操作者が、プレス・ビーム内に配置されたプレス工具、及びその都度の処理されるべきワークピースを良好に見渡せることを保証する。これを目的として、フォアグラウンド光システムは、上側プレス・ビームの前側且つ上方に配置されていることが好ましい。
【００１５】
照明用バックグラウンド光システムを、下側プレス・ビームの後ろ側の作業空間内で作業平面の後ろ側に、特に後ろ側ストップ・システムに配置する
ことも有利である。特に後ろ側ストップ・システムを使用する場合、操作者が、この領域において良好な観察条件を有することが重要である。なぜならば、曲げられるべきワークピースが後ろ側ストップ・システムのストップ要素に正確に当接しなければ、曲げ部品の高い寸法精度を得ることはできないからである。曲げプレスにフォアグラウンド光システム及びバックグラウンド光システムを設けることにより、悪い観察条件がより強い集中力を必要とすることに起因する操作者の時期尚早の疲労が著しく軽減される。
【００１６】
曲げプレスの作業幅全体にわたって一定の照明条件を保証するために、フォアグラウンド光システム又はバックグラウンド光システムが、プレス・ビームと少なくともほぼ平行に配置されたランプ・クロスヘッドの形態で設けられていると有利である。
【００１７】
曲げプレスの別の有利な実施態様の場合、フォアグラウンド光システム又はバックグラウンド光システムが、定置の機械ハウジングの内部に組み込まれており、そして機械ハウジングは、少なくとも１つの光出口オリフィス、特に光出口スロットを有している。フォアグラウンド光システム及びバックグラウンド光システムを機械ハウジングの内部に組み込むことにより、これらのシステムは、ワークピースの操作時又は曲げプレス上での他の行動中の不慮の損傷から良好に保護されており、そして光の広がりが、作業域の良好な照明と、操作者に対する低い眩惑とを同時に可能にするように光出口オリフィス、特に光出口スロットを位置決めすることができる。
【００１８】
バックグラウンド光システムはランプ・マーカーシステムを組み込むか、又はランプ・マーカーシステムの形態で提供されてもよい。この場合、ランプ・マーカーシステムは、ランプ・マーカーを、移動機構を用いて、いくつかの後ろ側ストップ要素から成る群のうちの１つの後ろ側ストップ要素に施すことができる。後ろ側ストップ・システムがいくつかの後ろ側ストップ要素を異なる位置で含む場合、例えばどの後ろ側ストップ要素を使用するべきかを曲げ平面上でチェックするために、作業空間から眼を離すことなしに、使用されるべき後ろ側ストップ要素をランプ・マーカーによって容易に見ることができると、操作者がより楽になる。
【００１９】
これを目的として、ランプ・マーカーシステムの移動機構が、特に後ろ側ストップ・システムを制御する制御装置に接続されていてよく、そしてランプ・マーカーは、制御装置によって決定された使用されるべきそれぞれのストップ要素上に、移動機構によって位置決めすることができる。このことは、複雑な曲げシーケンスのために、いくつかの後ろ側ストップ要素を１つの曲げ過程において使用しなければならない場合に特に有利である。この点において、ランプ・マーカーシステムの移動機構はステッピング・モーターを有していると有利であり、このステッピング・モーターは、制御装置からの制御信号に基づいてランプ・マーカーを正確に位置決めすることができる。
【００２０】
フォアグラウンド光システム又はバックグラウンド光システムのランプ手段が、グローランプ、ハロゲンランプ、蛍光管、キセノンランプ、発光ダイオード、又はレーザーランプを含む群から選択することができ、そしてレーザーランプが、ランプ・マーカーを形成するためのランプ手段として特に適している。
【００２１】
フォアグラウンド光システム又はバックグラウンド光システムの光強度を、ランプ手段制御システムによって変えることができると、作業空間内の好ましい照明条件を提供するための別の選択肢が生じる。ランプ手段制御システムは、例えばランプ手段の光強度を調節することができる電子回路を含んでいてよく、或いは、種々異なるランプ手段又はランプ手段群の間にスイッチを形成することもできる。
【００２２】
曲げプレスはランプ・マーカーシステムを組み込んでいてもよく、このランプ・マーカーシステムによって、曲げ線マーカーを、曲げ平面内の所定の位置、特に、下側プレス・ビームに固定された曲げ型と、上側プレス・ビームに固定された曲げスタンプとの間に固定することができるワークピースの上面に施すことができる。このような曲げ線マーカーは、特に大型のワークピースを位置決めするときに操作者がこれを行いやすくする。
【００２３】
操作者の時期尚早の疲労を防止する曲げプレスの別の可能な実施態様は、下側プレス・ビームの前側に、置き面を有する置き場所が配置されている実施態様である。この置き面は、一方では、処理されるべきワークピース、又は既に曲げられたワークピース、測定又は試験装置、又はその他の物体を、操作者が直接手に取れる範囲内に置くために使用することができるので、操作者は、疲労をもたらす、場合によっては不要の動作をとらずにすむ。
【００２４】
作業シーケンス又は操作者の身体的特徴に適合させるために、置き場所を、移動システム及び固定装置によって、下側プレス・ビームに対して種々異なる位置に位置決めすることができると有利である。特に、操作者の異なる体格又はワークピースの異なるサイズに対応するために鉛直方向の調節を可能にすることは、実用的に有利である。置き場所が何らかの曲げ作業中に邪魔になることがあるので、置き場所を作業位置と非作業位置との間で移動することができ、特に、実質的に水平方向の旋回軸を中心として旋回できるように、置き場所がプレス・テーブルの下側プレス・ビーム上に取り付けられていると、やはり有利である。必要な場合には、置き場所は単純に下方に向かって折り畳むことができ、これにより、特定の曲げ作業に必要な空間を使えるようにする。
【００２５】
小型から中型までのシート金属板又は曲げ済ワークピースに十分な置き面を提供するために、置き面は、多かれ少なかれ水平方向の作業位置に配向されたときに少なくとも１５０ｍｍの奥行きを有する。従って、置き面の幅は、曲げプレスの作業全幅に相当してよい。置き面は、奥行きがより深い場合には、操作者の上半身のための切欠きを有することもできる。操作者はさもなければ、奥行きがより深い置き面で作業するときに、曲げプレスの作業平面から非人間工学的に大きい距離を置くことなる。
【００２６】
下側プレス・ビームの前側に、特に置き場所上に、エルボーレストが配置されていてもよい。このエルボーレストによって、曲げプレスにおける作業時に、操作者の上腕及び肩が負荷から解放される。エルボーレストは、肘又は前腕に対する加圧点を避けるために、例えば発泡プラスチックを詰められると有利である。
【００２７】
置き面が、下側プレス・ビームの上縁の下方０ｍｍ〜１５０ｍｍの作業位置に配置されていると、置き面の人間工学的に好適な高さが得られる。上述のように、この高さは調節装置によって調節することができる。
【００２８】
曲げプレスの、使用者にとって使いやすい別の構成は、上側プレス・ビームの上方の、定置の機械ハウジングの制御側に、曲げプレスの制御装置と協働する制御パネルが配置されている構成である。高さは、制御パネル上に配置された制御要素及び任意にはもし設けられているならばモニターが、操作者の目の高さ又はそれよりも僅かに上方に配置されるように選択されている。
【００２９】
操作者の身体的特徴に合わせた調節を可能にするために、制御パネルは、調節機構によってこれを機械ハウジングに対して種々異なる位置に位置決めすることができるように設けられており、特に、制御パネルは、調節装置によって、実質的に水平方向の旋回軸を中心として調節することにより、旋回させることができる。このように、制御要素及びモニターは、制御側に座っている又は立っている操作者に合わせて最適に調節することができる。
【００３０】
添付の図面に示した実施態様の例を参照しながら、以下に本発明をより詳しく説明する。
【００３１】
下記図面は、単純化された概略図で示される。
【図面の簡単な説明】
【００３２】
【図１】図１は、本発明により提案される曲げプレスを、操作側から見た状態で示す斜視図である。
【図２】図２は、図１に示された曲げプレスを示す縦断面図である。
【図３】図３は、本発明により提案される曲げプレスの別の実施態様を示す部分図である。
【図４】図４は、本発明により提案される曲げプレスの別の実施態様を示す部分図である。
【発明を実施するための形態】
【００３３】
最初に指摘しておくが、種々異なる実施態様において記載される同一部分は、同一符号及び同一構成部分名によって示され、また、説明全体を通して為される開示は、同一符号及び同一構成部分名を有する同一部分に、意味に即して置き換えることができる。さらに、説明のために選ばれた位置、例えば上側、下側、側方などは、具体的に記述された図面に関連しており、別の位置が記述されるときには新しい位置に、意味に即して置き換えることができる。例示され説明された種々異なる実施態様からの個別の特徴又は特徴の組み合わせは、それ自体独立した本発明の解決手段又は本発明によって提案された解決手段として解釈することができる。
【００３４】
明細書中の値の範囲に関連する全ての数字は、任意の部分範囲及び全ての部分範囲を含むことを意味するものとして解釈されるべきである。この場合、例えば１〜１０の範囲は、下限１で始まり上限１０に至るまでの全ての部分範囲、すなわち、下限１又はこれを上回る値で始まり上限１０又はこれを下回る値で終わる全ての部分範囲、例えば１〜１．７、又は３．２〜８．１、又は５．５〜１０を含むものとして理解されるべきである。
【００３５】
図１は、プレス・ブレーキ２の形態を成す、本発明により提案された切欠き５を有する本発明により提案された曲げプレス１を示す斜視図である。この切欠き５は、操作者に面した曲げプレスの制御側３に、操作者のための足空間６を提供する。制御側３はまた、曲げプレス１の前面４を形成している。
【００３６】
従来の曲げプレスの場合のように、プレス・ブレーキ２の形態の曲げプレス１は、曲げスタンプ８の形態を成す上側工具と、曲げ型９の形態を成す下側工具とを含む曲げ工具７を有している。曲げスタンプ８は、移動可能な上側プレス・ビーム１０に取り付けられている。上側プレス・ビーム１０は、曲げ型９を支持する定置の下側プレス・ビーム１２に対して、移動駆動装置１１（図１では見られない）によって移動することができる。下側プレス・ブーム１２は、安定な機械フレーム１３に結合されている。機械フレーム１３は、曲げプレス１の基礎構造を形成している。一例として示されたこの実施態様において、下側プレス・ビーム１２は、機械フレーム１３に固定的に取り付けられていて、機械フレーム１３の側方パネル１６，１７にその端部１４及び１５によって結合されている。これらの端部１４及び１５は、パネル１６及び１７に設けられた整合切欠き内に挿入され、これらに固定的に溶接されている。
【００３７】
図１に示されていない別の実施態様の場合、下側プレス・ビーム１２は、従来のプレス・ブレーキの場合と同様に、少なくともほぼ曲げプレス１の設置面１８まで下方に向かって延びるプレス・テーブルとして構成することもできる。本発明によって提案されているように、下側プレス・ビーム１２はまた、曲げプレス１の足空間６を提供する切欠き５を有している。下側プレス・ビーム１２は、別個の機械テーブルに取り付けられていてもよく、この場合には、下側プレス・ビーム１２は、本発明によって提案された切欠き５をも有しており、或いは、機械フレーム内部に配置された足空間６がこの切欠きからアクセス可能である。プレスの前縁に座った操作者の脚に十分な足空間６を提供するために、切欠き５の水平方向の内法幅１９は少なくとも５００ｍｍ、一例として示されたこの実施態様の場合、ほぼ９００ｍｍであり、機械フレーム１３の内部の水平方向奥行き２０は、少なくとも２５０ｍｍであり、そして一例として示されたこの実施態様の場合、上側領域内の４５０ｍｍから床領域内のほぼ７５０ｍｍまで増大しており、また、鉛直方向内法高さ２１は、少なくとも６５０ｍｍ、一例として示された実施態様の場合、７５０ｍｍである。切欠き５、又は切欠きからアクセス可能な足空間６は従って、座位にある時に、下側プレス・ビーム１２の下方に、平均的体格の操作者の両脚又は両足のための十分な空間を提供する。
【００３８】
ここに一例として示された実施態様の場合、切欠き５の上側仕切り面２２が、下側プレス・ビーム１２の底面２３によって形成されている。従ってプレス・ビーム１２は、切欠き５の所与のサイズに対応してできる限り高い鉛直方向高さを有しており、ひいては、最高の曲げ抵抗を有している。加えて、下側プレス・ビーム１２の底面２３、ひいては、切欠き５の上側仕切り面２２は、湾曲を備えた丸み付き領域２４を有している。この丸み付き領域２４は、曲げ作業中に下側プレス・ビーム１２に伝達された加圧力を機械フレーム１３内に分散させるように構成されている。
【００３９】
一例として示されたこの実施態様の場合、足空間６は、機械フレーム１３の側方パネル１６，１７の内面によって横方向で仕切られている。後ろ側及び上側の境界は、下側プレス・ビーム１２の底面２３に続いて設けられた足空間保護板２５によって形成されている。この足空間保護板２５は、下側プレス・ビーム１２の後ろ側で不注意のため落下するおそれのある物体、例えばワークピース又は工具から、曲げプレス１に座った操作者の足及び脚を保護し、同時に、機械フレーム１３の剛性を高める助けとなる。
【００４０】
図１はまた、下側プレス・ビーム１２に装着された置き場所２６を示している。置き場所２６は、曲げられた又は曲げられるべきワークピース、工具、又はその他の物体を置くための置き面２７を操作者に提供する。置き場所２６は、ほぼ水平方向の置き面２７を有する図１に示された作業位置から、水平方向の旋回軸２８を中心として、下方に向かって非作業位置に旋回させることによって、特定の曲げ作業のために下側プレス・ビームの前でより多くの曲げ空間を利用可能にすることができる。水平方向の作業位置において、置き面２７の、下側プレス・ビーム１２に対して横方向に向けられた奥行き２９は、少なくとも１５０ｍｍ、好ましくは２５０ｍｍである。置き場所２６は、移動システム３０及び固定装置３１によって、下側プレス・ビーム１２の種々異なる位置に位置決めし、そして位置固定することもでき、これにより、とりわけ、操作者の身体的な特徴又は選好の要求を満たすための調節が可能になる。一例として示されたこの実施態様の場合、置き場所２６に対して鉛直方向の調節を行うことができるものの、好適なガイドを設けることによって水平方向の調節を可能にすることも考えられる。操作者の上腕及び肩にかかる負担を軽減するために、置き面２７上にはエルボーレスト３２も設けられている。エルボーレスト３２には、前腕のための快適な支持を可能にするように弾性的に可撓性の発泡プラスチックが詰められており、これによりやはり操作者の疲労が低減される。
【００４１】
駆動システム１１及び上側プレス・ビーム１０の主要部分は、持ち上げられた非作業位置において定置の機械ハウジング３３によって覆われる。機械ハウジング３３は、一方では駆動システム１１の運動部分から操作者を保護し、他方では、他の機械構成部分を組み込むための空間を形成する。
【００４２】
制御パネル３４は、曲げプレス１の前に立っている又は座っている操作者のほぼ目の高さで、機械ハウジング３３内に組み込まれている。この制御パネル３４は、ここに一例として示された実施態様では、ディスプレイ・スクリーン３５並びにいくつかの制御要素３６を含んでいる。制御パネル３４は制御装置３７に接続されており、この制御装置３７によって、曲げプレス１又はプレス・ブレーキ２の機能が制御される。制御パネル３４は、曲げプレス１の前に位置する操作者の見える範囲内又は届く範囲内に直接に配置されているので、制御装置３７は、疲労をもたらす更なる動作を操作者が行う必要なしに操作することができ、これにより、生産効率が高められるのを可能にする。図１に示されてはいないが、調節装置が設けられており、この調節装置によって制御パネルを、事実上水平方向の旋回軸を中心として調節することにより、特定の操作者に合わせた最適な調節をもたらすことができる。
【００４３】
図１はまたフォアグラウンド光システム３８を示している。このフォアグラウンド光システム３８も機械ハウジング３３内に組み込まれており、曲げ工具７の領域内の作業空間３９を照らす。中央作業域のこのような効率的な照明により、ワークピース及び工具を見ることがより容易になり、これによりやはり操作者の疲労が低減される。
【００４４】
フォアグラウンド光システム３８は、１つ又は２つ以上のランプ手段４０、例えば蛍光管、発光ダイオード、グローランプ、又は作業域を十分にかつできる限り均一に照らすことができる何らかのその他のランプ手段を含み、そしてこのランプ手段からの光は、例えば光出口スロット４２の形態の光出口オリフィス４１を通って機械ハウジングから放出される。光が照射される方向は、曲げプレス１の前に立っている又は座っている使用者が通常の身体姿勢で眩惑されないように選択されている。フォアグラウンド光システム３８の光強度は、図示されてはいないが、ランプ手段制御システムによって変化させることができる。曲げプレス１の可能な作業幅全体にわたって延びる作業空間３９のための均一な照明を提供するために、ランプ手段４０は具体的には、プレス・ビーム１０，１２と平行に延びるランプ・クロスヘッドとして設計されていてよい。
【００４５】
図１はまた、２つの保護スクリーン４３，４０を示している。これらの保護スクリーンは、誰かが側方から曲げプレス１の危険領域に近づくのを防止する。
【００４６】
図２は、図１に示された実施態様に基づいた曲げプレス１又はプレス・ブレーキ２の断面図であり、この断面図は、曲げプレス１の前面４を形成する制御側３から、曲げプレス１の後面４４に延びている。機械フレーム１３は実質的に、いくつかのクロスメンバー及び下側プレス・ビーム１２によって結合された側方パネル１６，１７を含み、これにより、高度の剛性を機械フレーム１３に与える。例えば、設置面１８の領域内に下側クロスメンバー４５が配置されており、後面４４の上側領域に上側クロスメンバー４６が配置されており、そしていくつかの内側クロスメンバー４７が設けられている。一例として示されたこの実施態様の場合、クロスメンバー４５，４６，４７は、板状に形成されており、そして長手方向溶接シームによって側方パネル１６，１７に結合することができる。板状の内側クロスメンバー４７のうち、２つはほぼ鉛直方向に延び、そして１つはほぼ水平方向に延びており、また上側プレス・ビーム１０に作用する移動駆動装置１１の駆動システム４８は、この後者の１つの内側クロスメンバー４７に、例えば液圧シリンダ４９の形態で取り付けられている。この事例では液圧シリンダ４９の形態を成す駆動システム４８は、従って定置の水平方向の内側クロスメンバー４７に支持されており、そして上側プレス・ビーム１０には、駆動システム４８の可動の駆動要素が結合されている。上側プレス・ビーム１０のための移動駆動装置１１はまた、この事例では側方パネル１６，１７に固定され上側プレス・ビーム１０に結合された２つのガイドレール５１の形態を成す、機械フレーム１３上の定置のガイド軌道と、この事例ではガイド・キャリッジ５２の形態を成す、ガイド軌道に沿って移動することができるガイド要素とを備えたガイド装置５０を有している。制御側３では、駆動システム４８の可動部分と、上側のプレス・ビーム１０の主要部分とは、非作業位置において定置の機械ハウジング３３によって覆われる。
【００４７】
機械ハウジング３３内には、例えば前側の作業空間３９を照明するための蛍光管、１つ又は２つ以上のグローランプ、又は発光ダイオードの形態を成すランプ手段４０を含むフォアグラウンド光システム３８が組み込まれている。前側の作業空間３９は、実質的に、下側プレス・ビーム１２と上側プレス・ビーム１０との間に延びる曲げ平面５３の前側に位置している。ランプ手段が機械ハウジング３３の内部に配置されているため、光出口オリフィス４１が、この事例では光出口スロット４２の形態で設けられている。光出口オリフィス４１は、曲げプレス１の前に立っている又は座っている操作者が眩惑されないように配置されている。この目的で、光出口オリフィス４１は、遮光体によって調節されてもよい。フォアグラウンド光システム３８によって提供される、曲げ領域の良好な照明は、操作者の視覚を改善し、また疲労の発生を遅らせる助けとなる。操作者によって見られる曲げ平面５３の後ろ側には、バックグラウンド光システム５４が設けられている。このバックグラウンド光システム５４は、後ろ側の作業空間５５を照らす。従って、後ろ側の作業空間５５は、例えば前側の作業空間３９のように均一に照らすことができるが、しかし、バックグラウンド光システム５４は、後ろ側の作業空間５５内に配置された物体上に線状又はスポット状のランプ・マーカー５６だけを生じさせるように構成することもできる。これを目的として、細長い一筋の光、扇状ビーム、又は光ビームが、ランプ手段５７自体によって、又はランプ手段５７の下流側に結合された遮光体によって、後ろ側の作業空間５５内に放出される。ランプ・マーカー５６は、曲げられるべきワークピースのための非物理的な視覚的当接線を生成するために、又はワークピースが正確に位置決めされるのを可能にするように後ろ側ストップ・システム５８上に配置されたストップ要素５９をマーキングするために用いられてよい。後ろ側ストップ・システム５８上に２つ又は３つ以上のストップ要素５９が設けられていると、このことは操作者にとって特に助けになる。この場合、操作者は、これらのストップ要素５９のうちのどの要素を曲げ作業のために使用しなければならないかを、ランプ・マーカー５６だけから知ることが可能になる。例えば、２つのストップ・エッジが互いに前後に設けられている後ろ側ストップ・システム５８のストップ・フィンガー６０では、ランプ・マーカー５６は、いずれか正しいストップ・エッジ上に向けられることになる。ストップ要素５９又はストップ・フィンガ６０は、数値制御された軸に基づいて後ろ側の作業空間５５内の任意の場所に動かすことができるので、ランプ・マーカー５６もやはり移動可能な構成を有しており、そしてランプ手段５７又は遮蔽体も、例えばステッピング・モーター６２の形態を成す移動機構６１によって運動させることができる。例えば、事実上曲げプレス１の作業幅にわたって延びるランプ・クロスヘッドの形態を成すランプ手段５７が、その長手方向軸を中心として旋回させ、そしてステッピング・モーター６２によって駆動させることができるように取り付けられているので、線状のランプ・マーカー５６を必要な位置に向けることができる。ランプ手段５７は、例えばライン・レーザーの形態で設けられてもよく、このライン・レーザーも同様に、後ろ側の作業空間５５内に、容易に見ることができる線状ランプ・マーカーを生成する。ランプ手段５７と移動機構６１とは一緒にランプ・マーカーシステム６３を形成する。このランプ・マーカーシステム６３は、後ろ側ストップ・システム５８を制御する制御装置と連通するように接続されている。これについて以下により詳しく説明する。
【００４８】
上記のフォアグラウンド光システム３８及びバックグラウンド光システム５４に加えて、曲げプレスには別のランプ・マーカーシステム６４が設けられていてもよい。このランプ・マーカーシステム６４によって、曲げ平面５３内に位置する曲げ線マーカー６５を、曲げ型９と曲げスタンプ８との間に位置決めされたワークピースの上面上に向けることができる。結果として、操作者は曲げ作業前に、ワークピース上の曲げエッジがどこになるかを既に見ることができる。ランプ・マーカーシステム６４は、具体的にはライン・レーザー６６の形態を成して設けられていてよい。このライン・レーザー６６は図２に示すように、バックグラウンド光システム５４の領域内に配置されていてよいが、プレス・ビーム１０，１２の側方にランプ・マーカーシステム６４を配置すると有利である。この場合、ランプ・マーカーシステム６４により放出された扁平な扇状ビームが、曲げ平面５３と一致することができ、また扇状ビームが曲げ平面５３に対して角度を成している場合のように、曲げられるべきワークピースの厚さの差が、曲げ平面５３に対して横方向に曲げ線マーカー６５のずれを生じさせることはない。
【００４９】
フォアグラウンド光システム及びバックグラウンド光システムのために、明るい日光の白色照明を使用することが推奨されるが、特定のワークピーク色に対して種々の色のついた光を使用することも有利である。
【００５０】
図２はまた、作業位置６７における下側プレス・ビーム１２の前側の置き場所２６を示している。作業位置６７において、置き面２７は多かれ少なかれ水平方向に延びている。旋回軸２８によって、置き場所２６は、破線によって示された非作業位置６８に動かすことができる。
【００５１】
下側プレス・ビーム１２の下方には、曲げプレス１の前側に座った操作者のための足空間６又は切欠き５が配置されている。この足空間６又は切欠き５は、足空間保護板２５によって下側プレス・ビームの後ろ側で仕切られている。図２に示された実施態様の切欠き５又は足空間６内には、フット・レスト６９が配置されている。このフット・レスト６９上で、曲げプレス１の前側に座った操作者は足及び脚を支えることができる。フット・レスト６９は、体格に適合させるために調節装置７０によって高さ調節可能であってよく、また、その傾斜に関して調節可能であってもよい。図示のように、調節装置は、フット・レスト６９のための、互いに離隔した複数の固定点を含んでいてよいが、ガイド装置、例えばガイド・レールを設けることも可能である。座位から曲げプレス１を操作するために、足によって操作することができる足踏みスイッチ７１が切欠き５又は足空間６内に、具体的にはフット・レスト６９上に配置されている。
【００５２】
曲げプレス１の機能、具体的には移動駆動装置１１、駆動システム４８、フォアグラウンド光システム３８、バックグラウンド光システム５４、後ろ側ストップ・システム５８、移動機構６１、及びランプ・マーカーシステム６３，６４の制御は、プログラミング可能な電子制御装置３７を介して行われる。この電子制御装置３７は、ここに一例として示す実施態様では、上側プレス・ビーム１０の領域内で機械ハウジング３３内に配置されている。制御装置３７は、従来技術から以前から知られているように、機械を制御するために、所要のコンピュータ・ユニット、メモリーユニット、入力・出力インターフェイスを備えている。足踏みスイッチ７１に加えて、図１に関連して説明した制御パネル３４は、操作者が制御装置３７を操作するのを可能にするように、操作者の目の高さに設けられている。異なる体格の操作者たちに適合させるために、破線で示す水平方向の旋回軸７２を中心としてその傾斜を調節することができる。
【００５３】
図３は、本発明によって提案された曲げプレス１又はプレス・ブレーキ２の制御側の下側部分を示している。ここでは、下側プレス・ビーム１２は、設置面１８の領域まで下方に向かって延びるプレス・ブレーキの周知の構成に基づく、しかし足空間６を提供する切欠き５を有するプレス・テーブル７３として構成されている。プレス・テーブル７３はその全高にわたって、機械フレーム１３の２つのパネル１６，１７に溶接シームによって接合されていてよい。
【００５４】
図４は、曲げプレス１又はプレス・ブレーキ２の別の実施態様の制御側の下側部分を示している。ここでは、曲げプレス１の前側に座っている操作者のための足空間６を提供するプレス・テーブル７３内に、２つの切欠き５が互いに隣接して配置されている。２つの切欠き５は、設置面１８又は機械フレーム１３の下側部分に支持された支持要素７４によって互いに分割されている。最高曲げモーメント領域内に支持要素７４が配置される結果、切欠き５に起因するプレス・テーブル７３又は下側プレス・ビーム１２の剛性の低下は、極めて僅かにしか生じない。
【００５５】
一例として示したこれらの実施態様は、曲げプレスの可能な変更形を示しており、ここで指摘したいのは、本発明が具体的に示された変更形に特定的に限定されるものではなく、相互の種々異なる組み合わせで個々の変更形を用いてよく、これらの可能な改変形が、開示された技術的教示を考えればこの技術分野の当業者の能力の範囲にあることである。従って、説明・図示された変更形の個々の詳細を組み合わせることにより得ることができる全ての考えられる変更形が可能であり、またこれらも本発明の範囲に含まれる。
【００５６】
秩序を保つために、最後に指摘しておくが、曲げプレスの構造のより明確な理解のために、曲げプレス及びその構成部分は、或る程度尺度から外れて、且つ／又は拡大された尺度で、且つ／又は縮小された尺度で図示されている。
【００５７】
独立した本発明の解決手段の根底を成す目的は、本明細書中に見いだすことができる。
【００５８】
何よりも、図１、２；３；４に示された対象の個々の実施態様は、それ自体で本発明により提案された独立した解決手段を構成する。本発明により提案された目的及び関連する解決手段は、これらの図面の詳細な説明において見いだすことができる。
【符号の説明】
【００５９】
１    曲げプレス
２    プレス・ブレーキ
３    制御側
４    前面
５    切欠き
６    足空間
７    曲げ工具
８    曲げスタンプ
９    曲げ型
１０    上側プレス・ビーム
１１    移動駆動装置
１２    下側プレス・ビーム
１３    機械フレーム
１４    端部
１５    端部
１６    パネル
１７    パネル
１８    設置面
１９    幅
２０    奥行き
２１    高さ
２２    仕切り面
２３    底面
２４    丸み付き領域
２５    足空間保護板
２６    置き場所
２７    置き面
２８    旋回軸
２９    深さ
３０    移動システム
３１    固定装置
３２    エルボーレスト
３３    機械ハウジング
３４    制御パネル
３５    ディスプレイ・スクリーン
３６    制御要素
３７    制御装置
３８    フォアグラウンド光システム
３９    作業空間
４０    ランプ手段
４１    光出口オリフィス
４２    光出口スロット
４３    保護スクリーン
４４    後面
４５    下側クロスメンバー
４６    上側クロスメンバー
４７    内側クロスメンバー
４８    駆動システム
４９    液圧シリンダ
５０    ガイド装置
５１    ガイド・レール
５２    ガイド・キャリッジ
５３    曲げ平面
５４    バックグラウンド光システム
５５    作業空間
５６    ランプ・マーカー
５７    ランプ手段
５８    後ろ側ストップ・システム
５９    ストップ要素
６０    ストップ・フィンガー
６１    移動機構
６２    ステッピング・モーター
６３    ランプ・マーカーシステム
６４    ランプ・マーカーシステム
６５    曲げ線マーカー
６６    ライン・レーザー
６７    作業位置
６８    非作業位置
６９    フット・レスト
７０    調節装置
７１    足踏みスイッチ
７２    旋回軸
７３    プレス・テーブル
７４    支持要素
７５    幅
【図１】
2010524693.tif 000003
【図２】
2010524693.tif 000004
【図３】
2010524693.tif 000005
【図４】
2010524693.tif 000006
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
定置の下側プレス・ビーム（１２）又はプレス・テーブル（７３）と、該下側プレス・ビーム（１２）又はプレス・テーブル（７３）に対して移動駆動装置（１１）によって移動することができる上側プレス・ビーム（１０）とを備えた曲げプレス（１）、特にプレス・ブレーキ（２）であって、該下側プレス・ビーム（１２）又はプレス・テーブル（７３）、又は該下側プレス・ビーム（１２）を支持する機械テーブル又は機械フレーム（１３）が、該曲げプレス（１）の制御側（３）に、操作者のための足空間（６）を提供する少なくとも１つ切欠き（５）を有している曲げプレスにおいて、
該曲げプレス（１）の設置面（１８）よりも高さが高くて、該高さが調節可能であるフット・レスト（６９）が、該切欠き（５）内に配置されており、該下側プレス・ビーム（１２）の前の制御側（３）に、置き面（２７）を有する置き場所（２６）が配置されていて、該置き場所（２６）を、移動システム（３０）及び固定装置（３１）によって、該下側プレス・ビーム（１２）に対して種々異なる位置に位置決めすることができることを特徴とする、曲げプレス。
【請求項２】
切欠き（５）の水平方向の内法幅（１９）が少なくとも５００ｍｍ、特に少なくとも７５０ｍｍであることを特徴とする、請求項１に記載の曲げプレス。
【請求項３】
それぞれの水平方向の内法幅（１９）が少なくとも２００ｍｍである互いに離隔した２つの切欠き（５）が設けられており、そして該２つの切欠き（５）の間に、幅（７５）が５０ｍｍ〜２５０ｍｍの支持要素（７４）が配置されていることを特徴とする、請求項１に記載の曲げプレス。
【請求項４】
該切欠き（５）の水平方向奥行き（２０）が、該曲げプレス（１）の前面（４）から測定して、少なくとも２５０ｍｍ、特に４５０ｍｍ、好ましくは６００ｍｍであることを特徴とする、請求項１に記載の曲げプレス。
【請求項５】
該切欠き（５）が、該プレス・ビーム（１０，１２）によって形成された曲げ平面（５３）の後ろ側で少なくとも２００ｍｍ延びていることを特徴とする、請求項１に記載の曲げプレス。
【請求項６】
該切欠き（５）の鉛直方向内法高さ（２１）は、中央で、少なくとも６５０ｍｍ、好ましくは７５０ｍｍであることを特徴とする、請求項１に記載の曲げプレス。
【請求項７】
該切欠き（５）の上側仕切り面（２２）が、湾曲を備えた丸み付き領域（２４）を有していることを特徴とする、請求項１に記載の曲げプレス。
【請求項８】
該切欠き（５）の上側仕切り面（２２）が、下側プレス・ビーム（１２）の底面（２３）によって形成されていることを特徴とする、請求項１に記載の曲げプレス。
【請求項９】
該下側プレス・ビーム（１２）は、該機械フレーム（１３）の側方パネル（１６，１７）にその端部（１４，１５）によって固定されていることを特徴とする、請求項１に記載の曲げプレス。
【請求項１０】
該フット・レスト（６９）の傾斜を調節することができることを特徴とする、請求項１に記載の曲げプレス。
【請求項１１】
該曲げプレス（１）の制御装置（３７）に接続され、足によって操作することができる足踏みスイッチ（７１）が、該切欠き（５）内に配置されていることを特徴とする、請求項１に記載の曲げプレス。
【請求項１２】
ランプ手段（４０）を含む照明用フォアグラウンド光システム（３８）が、該上側プレス・ビーム（１０）と下側プレス・ビーム（１２）との間の作業空間（３９）内で該曲げ平面（５３）の前側に配置されていることを特徴とする、請求項１に記載の曲げプレス。
【請求項１３】
ランプ手段（５７）を含む照明用バックグラウンド光システム（５４）が、該下側プレス・ビーム（１２）の後ろ側の作業空間（５５）内で該曲げ平面（５３）の後ろ側に、特に後ろ側ストップ・システム（５８）に配置されていることを特徴とする、請求項１に記載の曲げプレス。
【請求項１４】
該フォアグラウンド光システム（３８）又はバックグラウンド光システム（５４）が、該プレス・ビーム（１０，１２）と少なくともほぼ平行に配置されたランプ・クロスヘッドによって形成されていることを特徴とする、請求項１２又は１３に記載の曲げプレス。
【請求項１５】
該フォアグラウンド光システム（３８）及び／又はバックグラウンド光システム（５４）のランプ手段（４０，５７）が、定置の機械ハウジング（３３）の内部に組み込まれており、そして少なくとも１つの光出口オリフィス（１４）、特に光出口スロット（４２）を有していることを特徴とする、請求項１２又は１３に記載の曲げプレス。
【請求項１６】
該バックグラウンド光システム（５４）がランプ・マーカーシステム（６３）を含み、該ランプ・マーカーシステム（６３）は、該ランプ手段（５７）によって生じるランプ・マーカー（５６）を、移動機構（６１）を用いて、いくつかのストップ要素（５９）から成る群のうちの１つのストップ要素（５９）に向けることができることを特徴とする、請求項１３に記載の曲げプレス。
【請求項１７】
該ランプ・マーカーシステム（６３）の移動機構（６１）が、該後ろ側ストップ・システム（５８）を制御する制御装置（３７）と連通するように接続されており、そして該ランプ・マーカー（５６）は、該制御装置（３７）によって決定されたいずれか使用されるべきストップ要素（５９）上に、該移動機構（６１）によって位置決めすることができることを特徴とする、請求項１６に記載の曲げプレス。
【請求項１８】
該移動機構（６１）がステッピング・モーター（６２）を含むことを特徴とする、請求項１７に記載の曲げプレス。
【請求項１９】
該フォアグラウンド光システム（３８）又はバックグラウンド光システム（５４）のランプ手段（４０，５７）が、グローランプ、ハロゲンランプ、蛍光管、キセノンランプ、発光ダイオード、レーザーランプを含む群から選択されていることを特徴とする、請求項１２又は１３に記載の曲げプレス。
【請求項２０】
該フォアグラウンド光システム（３８）又はバックグラウンド光システム（５４）の光強度を、ランプ手段制御システムによって変えることができることを特徴とする、請求項１２又は１３に記載の曲げプレス。
【請求項２１】
該曲げプレスがランプ・マーカーシステム（６４）を有しており、該ランプ・マーカーシステムによって、該プレス・ビーム（１０，１２）によって形成された曲げ平面（５３）内に位置する曲げ線マーカー（６５）を、特に、該下側プレス・ビーム（１２）に固定された曲げ型（９）と、該上側プレス・ビーム（１０）に固定された曲げスタンプ（８）との間に位置決めされたワークピースの上面に向けることができることを特徴とする、請求項１に記載の曲げプレス。
【請求項２２】
該置き場所（２６）は、作業位置（６７）と非作業位置（６８）との間で移動することができ、特に、実質的に水平方向の旋回軸（２８）を中心として旋回できるように、該プレス・テーブル（７３）の下側プレス・ビーム（１２）上に取り付けられていることを特徴とする、請求項１に記載の曲げプレス（１）。
【請求項２３】
該置き面（２７）が、ほぼ水平方向の作業位置において、該下側プレス・ビーム（１２）に対して横方向に向けられた少なくとも１５０ｍｍの奥行き（２９）を有していることを特徴とする、請求項１に記載の曲げプレス（１）。
【請求項２４】
該下側プレス・ビーム（１２）の前側に、特に置き場所（２６）上に、エルボーレスト（３２）が配置されていることを特徴とする、請求項１に記載の曲げプレス（１）。
【請求項２５】
該置き面（２７）が作業位置（６７）において、該下側プレス・ビーム（１２）の上縁から０ｍｍ〜１５０ｍｍ下側に配置されていることを特徴とする、請求項１に記載の曲げプレス（１）。
【請求項２６】
該上側プレス・ビーム（１０）の前側且つ上方の、定置の機械ハウジング（３３）の制御側（３）に、該曲げプレス（１）の制御装置（３７）と協働する制御パネル（３４）が配置されていることを特徴とする、請求項１に記載の曲げプレス（１）。
【請求項２７】
該制御パネル（３４）を、調節装置によって、該機械ハウジング（３３）に対して種々異なる位置に位置決めすることができることを特徴とする、請求項２６に記載の曲げプレス（１）。
【請求項２８】
該制御パネル（３４）を、該調節装置によって、実質的に水平方向の旋回軸を中心として調節することができることを特徴とする、請求項２７に記載の曲げプレス（１）。
【国際調査報告】
2010524693.tif 000007
2010524693.tif 000008
2010524693.tif 000009
2010524693.tif 000010
2010524693.tif 000011
2010524693.tif 000012